(57)【特許請求の範囲】
【請求項１】
略箱型のケースと、前記ケース上面の開口孔から上端の操作部が上下動可能に突出した操作体と、前記操作体下端の押圧部に押圧されて電気的接離を行うスイッチ接点と、前記ケース内に収納された表示素子からなり、前記スイッチ接点の一部を前記表示素子下方に重ねて設けると共に、前記操作体は略Ｌ字状に形成され、前記操作体の一端の前記操作部は前記表示素子の上方に配置し、前記操作体の他端の前記押圧部は前記スイッチ接点を押圧可能に配置させ、前記ケースまたは前記操作体の一方に溝部を、他方にこれに嵌合する凸部を形成した入力装置。
【発明の詳細な説明】
【技術分野】
【０００１】
本発明は、主に自動車の空調や音響機器等の操作に用いられる入力装置に関するものである。
【背景技術】
【０００２】
近年、車室内のフロントパネル部に、様々な操作体を備えた入力装置を配置し、これらによってエアコンやオーディオ等の各種電子機器の操作を行うものが増えている。
【０００３】
このような従来の入力装置について、図３及び図４を用いて説明する。
【０００４】
図３は従来の入力装置の断面図、図４は同分解斜視図であり、同図において、１は略箱型で下面開口の絶縁樹脂製のケース、２は暗色で光透過性の絶縁樹脂製の表示板で、透過窓１Ａが形成されたケース１上面に表示板２が貼付されると共に、ケース１上面や表示板２には開口孔１Ｂや２Ａが設けられている。
【０００５】
また、３は略角柱状で絶縁樹脂製の操作体で、上端の操作部３Ａがケース１や表示板２の開口孔１Ｂや２Ａから上下動可能に突出して、操作体３がケース１内に収納されている。
【０００６】
そして、４は上下面に複数の配線パターン（図示せず）が形成された配線基板で、この上面には蛍光表示管等の表示素子５の複数の端子５Ａが、表示部５Ｂをケース１の透過窓１Ａに向けて実装装着されている。
【０００７】
さらに、６はプッシュスイッチ等のスイッチ接点で、配線基板４上面の表示素子５側方に並列に実装装着されると共に、筐体６Ａから突出した押釦６Ｂ上面には、操作体３下端の押圧部３Ｂが当接している。
【０００８】
また、７は絶縁樹脂製のカバーで、このカバー７がケース１の下面開口部を覆い、複数の操作体３や配線基板４、表示素子５等がケース１内に収納されて、入力装置が構成されている。
【０００９】
そして、このような入力装置が、表示板２が手前側になるようにして、車室前方のフロントパネル部に装着されると共に、表示素子５やスイッチ接点６がコネクタやリード線（図示せず）等を介して、エアコンやオーディオ等の各種電子機器を制御する自動車の電子回路に電気的に接続される。
【００１０】
以上の構成において、車両の電子回路によって表示素子５の表示部５Ｂに様々な表示、例えば、時刻「１０：０２」が表示された場合、ケース１の透過窓１Ａ、及びこの上面を覆う表示板２を通して、この時刻を運転者が視認する。
【００１１】
また、例えば時報等に合わせて、操作部３Ａを押圧操作すると、操作体３が下方へ移動し、下端の押圧部３Ｂが押釦６Ｂを押圧してスイッチ接点６の電気的接離が行われ、これを電子回路が検出して、表示部５Ｂに表示された時刻が、例えば「１０：００」にリセットされる。
【００１２】
つまり、フロントパネル部に装着された入力装置の表示素子５に、上記のような時刻やエアコンの温度、あるいはオーディオの音量等を表示すると共に、操作体３を押圧操作することでスイッチ接点６の電気的接離を行い、これによって時刻のリセットや、あるいは温度や音量の切換え等が行われるように構成されているものであった。
【００１３】
なお、この出願の発明に関連する先行技術文献情報としては、例えば、特許文献１が知られている。
【先行技術文献】
【特許文献】
【００１４】
【特許文献１】特開２００９−２６５１３号公報
【発明の概要】
【発明が解決しようとする課題】
【００１５】
しかしながら、上記従来の入力装置においては、表示素子５とスイッチ接点６が配線基板４上面に並列に配置されているため、配線基板４上面の省スペース化を行うことが困難で、入力装置全体の小型化も図りづらくなってしまうという課題があった。
【００１６】
本発明は、このような従来の課題を解決するものであり、小型化が図れ、確実な操作の可能な入力装置を提供することを目的とする。
【課題を解決するための手段】
【００１７】
上記目的を達成するために本発明は、スイッチ接点の一部を表示素子下方に重ねて設けると共に、操作体は略Ｌ字状に形成され、操作体の一端の操作部は表示素子の上方に配置し、操作体の他端の押圧部はスイッチ接点を押圧可能に配置させ、ケースまたは操作体の一方に溝部を、他方にこれに嵌合する凸部を形成して入力装置を構成したものであり、スイッチ接点の一部を表示素子下方に重ねて配置することによって、全体の小型化が図れると共に、溝部と凸部でガイドして操作体を上下動させることで、操作体のがたつきや傾きを防ぎ、確実なスイッチ接点の電気的接離が可能な入力装置を得ることができるという作用を有するものである。
【発明の効果】
【００１８】
以上のように本発明によれば、小型化が図れ、確実な操作の可能な入力装置を実現することができるという有利な効果が得られる。
【図面の簡単な説明】
【００１９】
【図１】本発明の一実施の形態による入力装置の断面図
【図２】同分解斜視図
【図３】従来の入力装置の断面図
【図４】同分解斜視図
【発明を実施するための形態】
【００２０】
以下、本発明の実施の形態について、図１及び図２を用いて説明する。
【００２１】
なお、背景技術の項で説明した構成と同一構成の部分には同一符号を付して、詳細な説明を簡略化する。
【００２２】
（実施の形態）
図１は本発明の一実施の形態による入力装置の断面図、図２は同分解斜視図であり、同図において、１１は略箱型で下面開口のポリカーボネートやＡＢＳ等の絶縁樹脂製のケース、１２は暗色で光透過性のアクリル等の絶縁樹脂製の表示板で、透過窓１１Ａが形成されたケース１１上面に表示板１２が貼付されると共に、ケース１１上面や表示板１２には開口孔１１Ｂや１２Ａが設けられている。
【００２３】
また、１３は略Ｌ字状でＡＢＳ等の絶縁樹脂製の操作体で、左方上端の操作部１３Ａがケース１１や表示板１２の開口孔１１Ｂや１２Ａから上下動可能に突出すると共に、操作体１３の左右両側面に形成された壁状の凸部１３Ｂが、ケース１１下面の左右に延出して設けられた、一対の溝部１１Ｃに挿入嵌合して、操作体１３がケース１１内に収納されている。
【００２４】
そして、１４は紙フェノールやガラス入りエポキシ等の配線基板で、上下面に銅等によって複数の配線パターン（図示せず）が形成されると共に、この上面には蛍光表示管等の表示素子５の複数の端子５Ａが、表示部５Ｂをケース１１の透過窓１１Ａに向けて実装装着されている。
【００２５】
さらに、６はプッシュスイッチ等のスイッチ接点で、配線基板１４上面の表示素子５側方に、一部を表示素子５の下方に重ねて端子５Ａの間に実装装着されると共に、筐体６Ａから突出した押釦６Ｂ上面には、操作体１３右方下端の押圧部１３Ｃが当接している。
【００２６】
また、１７はＡＢＳ等の絶縁樹脂製のカバーで、このカバー１７がケース１１の下面開口部を覆い、複数の操作体１３や配線基板１４、表示素子５等がケース１１内に収納されて、入力装置が構成されている。
【００２７】
つまり、スイッチ接点６の一部を表示素子５の下方に重ね、これを複数の端子５Ａの間に配置すると共に、このスイッチ接点６の押釦６Ｂに当接する押圧部１３Ｃを操作体１３の右方下端に、操作部１３Ａを押圧部１３Ｃからやや離れた左方上端に各々設け、操作体１３を略Ｌ字状に形成することによって、配線基板１４上面の省スペース化が図られ、ケース１１や表示板１２、配線基板１４等の左右方向の寸法が小さくなって、全体が小型化された構成となっている。
【００２８】
そして、このような入力装置が、表示板１２が手前側になるようにして、車室前方のフロントパネル部に装着されると共に、表示素子５やスイッチ接点６がコネクタやリード線（図示せず）等を介して、エアコンやオーディオ等の各種電子機器を制御する自動車の電子回路に電気的に接続される。
【００２９】
以上の構成において、車両の電子回路によって表示素子５の表示部５Ｂに様々な表示、例えば、時刻「１０：０２」が表示された場合、ケース１１の透過窓１１Ａ、及びこの上面を覆う表示板１２を通して、この時刻を運転者が視認する。
【００３０】
また、例えば時報等に合わせて、操作部１３Ａを押圧操作すると、操作体１３が下方へ移動し、下端の押圧部１３Ｃが押釦６Ｂを押圧してスイッチ接点６の電気的接離が行われ、これを電子回路が検出して、表示部５Ｂに表示された時刻が、例えば「１０：００」にリセットされる。
【００３１】
つまり、フロントパネル部に装着された入力装置の表示素子５に、上記のような時刻やエアコンの温度、あるいはオーディオの音量等を表示すると共に、操作体１３を押圧操作することでスイッチ接点６の電気的接離を行い、これによって時刻のリセットや、あるいは温度や音量の切換え等が行われるように構成されている。
【００３２】
そして、このような押圧操作の際、操作体１３が略Ｌ字状に形成されているため、押圧操作される左方上端の操作部１３Ａとは距離がやや離れた、右方下端の押圧部１３Ｃによってスイッチ接点６の押釦６Ｂの押圧が行われるが、ケース１１下面の一対の溝部１１Ｃと、これに挿入嵌合された操作体１３の左右両側面の凸部１３Ｂによって、操作体１３のがたつきや傾きを防止できるようになっている。
【００３３】
すなわち、ケース１１下面の左右に下方へ延出する一対の溝部１１Ｃを形成すると共に、操作体１３の左右両側面にこれに挿入嵌合する壁状の凸部１３Ｂを設け、この左右の溝部１１Ｃと凸部１３Ｂでガイドして操作体１３を上下動させることによって、操作部１３Ａと押圧部１３Ｃが離れた位置に形成されていても、操作体１３のがたつきや傾きを防ぎ、確実なスイッチ接点６の電気的接離が行えるように構成されている。
【００３４】
さらに、このように操作体１３を略Ｌ字状に形成すると共に、スイッチ接点６の一部を表示素子５の下方に重ね、これを複数の端子５Ａの間に配置することによって、上述したように、配線基板１４上面が省スペース化され、ケース１１や表示板１２、配線基板１４等の左右方向の寸法が小さくなって、全体の小型化が図られた構成となっている。
【００３５】
なお、以上の説明では、ケース１１側に一対の溝部１１Ｃを、操作体１３両側面にこれに嵌合する凸部１３Ｂを設けた構成について説明したが、ケース１１側に一対の凸部を、操作体１３両側面にこれに嵌合する溝部を設けた構成としても、本発明の実施は可能であり、同様に操作体１３のがたつきや傾きを防ぐことができる。
【００３６】
このように本実施の形態によれば、スイッチ接点６の一部を表示素子５下方に重ねて設けると共に、ケース１１または操作体１３の一方に溝部１１Ｃを、他方にこれに嵌合する凸部１３Ｂを形成することによって、配線基板１４上面が省スペース化され、全体の小型化が図れると共に、溝部１１Ｃと凸部１３Ｂでガイドして操作体１３を上下動させることで、操作体１３のがたつきや傾きを防ぎ、確実なスイッチ接点６の電気的接離が可能な入力装置を得ることができるものである。
【００３７】
なお、以上の説明では、配線基板１４上面にプッシュスイッチを実装して、スイッチ接点６を形成した構成について説明したが、配線基板１４上面にカーボン等によって複数の固定接点を設け、この上に略ドーム状で導電金属薄板製の可動接点を載置したものや、あるいは、固定接点上方に下面に可動接点が形成されたゴム等の押釦を対向させたもの等、様々なスイッチ接点を用いた構成としても、本発明の実施は可能である。
【産業上の利用可能性】
【００３８】
本発明による入力装置は、小型化が図れ、確実な操作の可能なものを実現することができ、主に自動車の空調や音響機器等の操作用として有用である。
【符号の説明】
【００３９】
５  表示素子
５Ａ  端子
５Ｂ  表示部
６  スイッチ接点
６Ａ  筐体
６Ｂ  押釦
１１  ケース
１１Ａ  透過窓
１１Ｂ、１２Ａ  開口孔
１１Ｃ  溝部
１２  表示板
１３  操作体
１３Ａ  操作部
１３Ｂ  凸部
１３Ｃ  押圧部
１４  配線基板
１７  カバー
【図１】
0005499671.tif 000002
【図２】
0005499671.tif 000003
【図３】
0005499671.tif 000004
【図４】
0005499671.tif 000005